(57)【特許請求の範囲】
【請求項１】
風が吸い込み口、フィルタ、風路部を経由してブロアブロックに引き込まれ、吹き出し口から手挿入部に風を吹き出して手を乾燥させる手乾燥装置であって、吸い込み口からブロアブロックに到る風路部を本体ハウジングの手挿入部の側方に設け、本体ハウジングの下部に水を受ける部分を設け、この水を受ける部分の近くに設けた吸い込み口から吸い込まれる空気を浄化するためのフィルタの周囲に水の浸入を阻止するためのリブを設けて成ることを特徴とする手乾燥装置。
【発明の詳細な説明】
【０００１】
【発明の属する技術分野】
本発明は、風が吸い込み口、風路部を経由してブロアブロックに引き込まれ、吹き出し口から手挿入部に風を吹き出して手等を乾燥させる手乾燥装置に関するものである。
【０００２】
【従来の技術】
従来から、風が吸い込み口、風路部を経由してブロアブロックに引き込まれ、吹き出し口から手挿入部に風を吹き出して手等を乾燥させる手乾燥装置が知られている。そして、従来例の手乾燥装置において、手乾燥装置の背面側から空気を吸入するようになっており、このため、手乾燥装置を壁に取り付ける際に、手乾燥装置と壁との間に空気を吸い込むための空間を形成する必要があり、このため、手乾燥装置を壁に取り付けた場合における前後方向の長さ、つまり、壁からの突出長さが長くなってしまうという問題がある。
【０００３】
また、水受けケースを風の吸入口付近に設けているため、水が溢れたりした場合、空気をろ過させるフィルタに水が毛管現象で付着して吸水してしまうという問題がある。
【０００４】
【発明が解決しようとする課題】
本発明は上記の点に鑑みてなされたものであり、前後方向の長さ（奥行き）を短くできて壁に取り付けた際の突出長さを短くでき、さらに、フィルタに水が吸水されるのを防止することができる手乾燥装置を提供することを課題とするものである。
【０００５】
【課題を解決するための手段】
上記課題を解決するために本発明に係る手乾燥装置は、風が吸い込み口１、フィルタ２２、風路部２を経由してブロアブロック６に引き込まれ、吹き出し口７から手挿入部３に風を吹き出して手を乾燥させる手乾燥装置であって、吸い込み口１からブロアブロック６に到る風路部２を本体ハウジング８の手挿入部３の側方に設け、本体ハウジング８の下部に水を受ける部分を設け、この水を受ける部分の近くに設けた吸い込み口１から吸い込まれる空気を浄化するためのフィルタ２２の周囲に水の浸入を阻止するためのリブ４５を設けて成ることを特徴とするものである。このような構成とすることで、手挿入部３の側方を有効利用して風路部２を設けることができて、手乾燥装置の前後方向の長さを短くできるものである。
【０００６】
また、本体ハウジング８の下部に水を受ける部分を設け、この水を受ける部分の近くに設けた吸い込み口１から吸い込まれる空気を浄化するためのフィルタ２２の周囲に水の浸入を阻止するためのリブ４５を設けることで、リブ４５によりフィルタ２側に水が移向するのを防止できてフィルタ２への吸水が防止されるものである。
【０００７】
【発明の実施の形態】
以下、本発明を添付図面に示す実施形態に基づいて説明する。
【０００８】
手乾燥装置は背方に開口した本体ハウジング８と、本体ハウジング８の背面開口部に配置されて本体ハウジング８にねじ具１４により取り付けられる背面板９、本体ハウジング８の下部に取り付ける水受けケース１５とで外殻が構成してある。本体ハウジング８は上ハウジング体８ａと下ハウジング体８ｂとを組み合わせて構成してあり、下ハウジング体８ｂには下方に向けて凹んだ凹所１６が形成してあり、凹所１６の前部と後部とには左右方向に細長い開口部１７が設けてある。
【０００９】
下ハウジング体８ｂには図６に示すように、断面Ｌ字状をした支持部１８が前後方向に設けてあり、水受けケース１５の係止部１９を支持部１８に前後方向にスライド自在に係止することで水受けケース１５を下ハウジング体８ｂに対して前方に抜き取り自在に取り付けてある。背面板９の下端部には着脱釦固定部材３４が設けてあり、着脱釦固定部材３４にはばね３５により下方に突出する方向にばね付勢された着脱釦３６が上下方向に移動自在に取り付けてある。着脱釦３６にはフック３７が設けてあり、支持部１８に係止部１９をスライド係止して水受けケース１５を下ハウジング体８ｂの下面側に取り付けた状態で、フック３７が水受けケース１５に設けた係止片部３８に係止しており、いたずらなどで水受けケース１５が引き出せないようになっている。つまり、着脱釦３６をばね３５に抗して押して、フック３７を係止片部３８から外した状態ではじめて水受けケース１５を前方に引き出して外すことができるようになっている。
【００１０】
水受けケース１５には図５に示すように、水を受ける部分である水受け部２０と吸い込み口１を構成する筒状通路４６とが設けてあり、水受けケース１５の上部にはフィルタ枠２１が取り付けられ、図７に示すように、フィルタ枠２１に通気孔４４が設けてあってこの通気孔４４にフィルタ２２が装着してある。筒状通路４６の下端部には下方及び側方に開口したスリット１ａが形成してあってここから外部空気を吸い込むようになっている。
また、吸い込み口１を構成する筒状通路４６の上端開口部とフィルタ枠２１の通気孔４４が連通している。通気孔４４の周囲には図７に示すように、上方に向かってリブ４５が突設してあって通気孔４４内に装着したフィルタ２２を囲んでおり、水受けケース１５の水受け部２０に水が満水になった際でもリブ４５の存在により溢れた水がフィルタ２２を装着した通気孔４４側に移向しないようになっている。また、フィルタ枠２１には前部と後部とに左右方向に細長い凹溝２３が凹設してあり、水受けケース１５を下ハウジング体８ｂの下面側に取り付けた状態で、下ハウジング体８ｂの下部の前部と後部にそれぞれ設けた左右方向に細長い開口部１７とフィルタ枠２１の前部と後部とに設けた左右方向に細長い凹溝２３とが対向して連通するようになっている。図６、図７に示すように、凹溝２３の長手方向の少なくとも一端部（つまり左端部又は右端部のいずれか一方又は両方）は側方に開口していて排水口２４となっている。
【００１１】
図１に示すように、本体ハウジング８の中央部には前方から手を挿入するための手挿入部３が設けてあり、本体ハウジング８の前面の手挿入部３の側方（図に示す実施形態では両側方）には突状部２５が設けてあり、突状部２５内が空洞路となっていて風路部２を構成してある。この風路部２の下端開口部は前述のように水受けケース１５を取り付けた場合、フィルタ２２と連通するようになっている。風路部２の上部は上ハウジング体８ａ内に開口している。
上ハウジング体８ａ内にはブロアブロック６が内装してある。ブロアブロック６は独立発泡ゴム等で形成した防振、防音効果を有するブロアモータ保持材５０を介してブロアケース５にファンを備えたブロアモータ４、ヒータ２６、吹き出し口７、吸音材８０を取り付けて構成したものである。
【００１２】
上記のブロアケース５の後面部にはねじボス１３が後方に向けて一体に突設してあり、このねじボス１３は前端部がブロアケース５の内方(前方側)に向けて突出してある。そして、ねじボス１３には雌ねじ部１３ａが刻設してあり、雌ねじ部１３ａはブロアケース５の内方まで到っている（つまり、雌ねじ部１３ａの奥端部はブロアケース５よりも前方側に位置している）。ブロアケース５は背面板９にワッシャ３２を介して固定具１０を用いて取り付けられるが、この場合、ブロアケース５を背面板９に固定具１０により固定するに当って、固定具１０と背面板９とが接触しないようにゴムや弾性を有する合成樹脂等の弾性を有する材料により構成した弾性保持部１１を介して固定されるものである。
【００１３】
本体ハウジング８の前面部の内面には環状をしたリブ１２を設けてあり、このリブ１２にブロアケース５の前面部を嵌め込んでブロアケース５の前面部を本体ハウジング８の前面部に位置決め保持してある。このようにブロアケース５の前面部を本体ハウジング８に位置決め保持することで、前述のようにブロアケース５を背面側で固定具１０で固定するだけでなく、前面側においてリブ１２により支持できて固定具１０による固定部分に急激な応力がかからないようにできるものである。
【００１４】
吹き出し口７は本体ハウジング８の中央部に形成された前方が開口する手挿入部３の上面部に開口しており、吹き出し口７は前後方向に長いスリット孔を左右方向に複数（例えば５列）配列することで構成してある。
【００１５】
本体ハウジング８の手挿入部３の内壁部の上部には人体検知センサー３８が設けてある。また、本体ハウジング８には図１に示すように電源スイッチ３９、ヒータ入り切りスイッチ４０、風量の強弱を選択するための風量切換えスイッチ４１が設けてある。
【００１６】
上記のような構成の手乾燥装置は図２に示すように壁４８に取り付け金具４９を用いて取り付けられるのであるが、この場合、本発明においては、吸い込み口１からブロアブロック６に到る風路部２を本体ハウジング８の手挿入部３の側方に設けてあるので、図２における壁４８からの出っ張り長さＭを短くできて、手挿入部３に手を入れて乾燥させる際における手の動作範囲の自由度を大きく取ることができるものである。
【００１７】
しかして、手挿入部３に手を差し込むと、人体検知センサー３８が手を検知し、ブロアモータ４、ヒータ２６に通電し、吸い込み口１から風を吸い込み、風路部２を経由してブロアブロック６に引き込み、ヒータ２６に加温し、加温された空気を、吹き出し口７から吹き出し、これにより手挿入部３に差し入れた手を乾燥させるものである。この場合、手に付着した水に温風が吹き当ることで蒸発し、また水の一部が本体ハウジング８の下部、つまり、下ハウジング体８ｂの低部に吹き飛ばされ、下ハウジング体８ｂの開口部１７から凹溝２３に流れ、上方から吹き付ける風によって凹溝２３の端部側に吹き流されて凹溝２３の長手方向の端部の排水口２４から水受けケース１５内に流れて溜められるものである。水受けケース１５にたまった水は水受けケース１５を手前に引き出して取り出すことで、捨てることができるものである。ところで、水受けケース１５を取り外している状態の時に手挿入部３に濡れた手を差し入れて上記のように乾燥させた場合に、開口部１７に水が流れても開口部１７の下方には何も部材がないので、開口部１７に流れた水はそのまま下方に流下するのみで使用者の居る方向である前方に飛散せず、使用者に水がかからないようにできるものである。
【００１８】
なお、吸い込み口１を水受けケース１５の内部に設けるのではなく、図２においてイで示す水受けケース１５の中央部の下部に設けた凹段部１５ａに設けた場合には図２のロで示す位置に空気をろ過するためのフィルタ２２ａを設けるようにしてもよいものである。
【００１９】
【発明の効果】
上記の請求項１記載の本発明にあっては、風が吸い込み口、フィルタ、風路部を経由してブロアブロックに引き込まれ、吹き出し口から手挿入部に風を吹き出して手を乾燥させる手乾燥装置であって、吹き出し口からブロアブロックに到る風路部を本体ハウジングの手挿入部の側方に設けてあるので、手乾燥装置の前後方向の長さ（奥行き方向の長さ）を短くコンパクトにできて、これにより壁に取り付けた際の出っ張り長さが短くなって、手を乾燥するときの手の動作範囲を大きくとることができるものである。
【００２０】
また、本体ハウジングの下部に水を受ける部分を設け、この水を受ける部分の近くに設けた吸い込み口から吸い込まれる空気を浄化するためのフィルタの周囲に水の浸入を阻止するためのリブを設けてあるので、水を受ける部分から溢れた水が空気をろ過するためのフィルタに浸入するのをリブにより防止することができるものである。
【図面の簡単な説明】
【図１】本発明の斜視図である。
【図２】同上の断面図である。
【図３】同上の断面図であって左半分は図２のＡ−Ａ線で破断して下を見た図で且つ右半分は図２のＡ−Ａ線で破断して上を見た図である。
【図４】同上に用いる水受けケースの平面図であって右半部はその上にフィルタ枠を重ねた状態を示している。
【図５】同上に用いる水受けケースの側断面図である。
【図６】同上の下ハウジング体に水受けケースを取り付けている部分の断面図である。
【図７】同上のフィルタ枠を示し、（ａ）は平面図であり、（ｂ）はＸ−Ｘ線断面図であり、(ｃ)はＹ−Ｙ線断面図であり、（ｄ）は通気孔にリブを設けた部分の拡大断面図であり、（ｅ）は凹溝部分の拡大断面図である。
【符号の説明】
１  吸い込み口
２  風路部
３  手挿入部
５  ブロアケース
６  ブロアブロック
７  吹き出し口
８  本体ハウジング
２２  フィルタ
４５  リブ
【図１】
0003724199.tif 000002
【図２】
0003724199.tif 000003
【図３】
0003724199.tif 000004
【図４】
0003724199.tif 000005
【図５】
0003724199.tif 000006
【図６】
0003724199.tif 000007
【図７】
0003724199.tif 000008